(57)【要約】  本開示は、接触や押圧を伴うユーザ操作の操作性を向上させることができるようにする検知装置、検知方法、及びプログラムに関する。処理部は、ユーザ操作の対象とされるとともに、ユーザ操作に応じて検知される、ユーザ操作の操作内容又は操作対象の少なくとも一方が異なるユーザ操作領域を重複して配置した操作面に対する接触が開始されたときの操作面上の位置を表す開始位置を取得し、IR送信部は、開始位置に基づいて、重複して配置された複数のユーザ操作領域のうち、ユーザ操作の対象とされたユーザ操作領域に対応付けられた動作を決定する。なお、操作面は、コンテンツを表示する表示画面とは異なる箇所に設けられている。本開示は、例えば、テレビジョン受像機を制御するためのリモートコントローラ等に適用できる。
2013191028.tif 000002
【特許請求の範囲】
【請求項１】
ユーザ操作を検知する検知装置において、
ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得部と、
前記開始位置に基づいて、重複して配置された複数の前記ユーザ操作領域のうち、前記ユーザ操作の対象とされたユーザ操作領域に対応付けられた動作を決定する決定部と
を含み、
前記操作面は、コンテンツを表示する表示画面とは異なる箇所に設けられている
検知装置。
【請求項２】
前記取得部は、前記操作面を対象とした新たな接触が開始されたことに対応して、新たな前記接触が開始されたときの前記操作面上の前記開始位置を取得する
請求項１に記載の検知装置。
【請求項３】
前記操作面に対する接触が終了したときから、前記操作面に対する新たな接触が開始されるまでに要した所要時間を計測する時間計測部をさらに含み、
前記決定部は、前記所要時間にも基づいて、前記ユーザ操作の対象とされたユーザ操作領域に対応付けられた動作を決定する
請求項２に記載の検知装置。
【請求項４】
前記決定部は、前記表示画面上の前記コンテンツの状態にも基づいて、前記ユーザ操作の対象とされたユーザ操作領域に対応付けられた動作を決定する
請求項２に記載の検知装置。
【請求項５】
前記決定部は、
前記コンテンツが再生中である場合、前記開始位置に拘らず、前記コンテンツを操作対象とする前記対象ユーザ操作領域に対応付けられた動作を決定し、
前記コンテンツが再生中ではない場合、前記開始位置に基づいて、前記ユーザ操作の対象とされたユーザ操作領域に対応付けられた動作を決定する
請求項４に記載の検知装置。
【請求項６】
前記決定部は、ユーザによる前記操作面の視認の有無にも基づいて、前記対象ユーザ操作領域を選択する
請求項２に記載の検知装置。
【請求項７】
前記決定部は、
前記ユーザが前記操作面を視認している場合、前記開始位置に基づいて、前記ユーザ操作の対象とされたユーザ操作領域に対応付けられた動作を決定し、
前記ユーザが前記操作面を視認していない場合、前記開始位置に拘らず、予め決められた前記対象ユーザ操作領域に対応付けられた動作を決定する
請求項６に記載の検知装置。
【請求項８】
前記ユーザの撮像を行う撮像部から得られた撮像画像に基づいて、前記ユーザが前記操作面を視認しているか否かを判定する判定部
をさらに含む請求項６に記載の検知装置。
【請求項９】
前記決定部は、前記表示画面上の前記コンテンツを再生するための前記押圧操作が行われたことに対応して、前記開始位置に拘らず、前記コンテンツを操作対象とする前記対象ユーザ操作領域に対応付けられた動作を決定する
請求項２に記載の検知装置。
【請求項１０】
前記操作面に対する接触又は押圧の少なくとも一方を検出する検出部をさらに含み、
前記取得部は、前記検出部の検出結果に基づいて、前記開始位置を算出することにより取得する
請求項１に記載の検知装置。
【請求項１１】
前記取得部は、前記ユーザ操作に応じて前記開始位置を検出する操作入力装置から送信される前記開始位置を受信することにより取得する
請求項１に記載の検知装置。
【請求項１２】
ユーザ操作を検知する検知装置の検知方法において、
前記検知装置による、
ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得ステップと、
前記開始位置に基づいて、重複して配置された複数の前記ユーザ操作領域のうち、前記ユーザ操作の対象とされたユーザ操作領域に対応付けられた動作を決定する決定ステップと
を含み、
前記操作面は、コンテンツを表示する表示画面とは異なる箇所に設けられている
検知方法。
【請求項１３】
コンピュータを、
ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得部と、
前記開始位置に基づいて、重複して配置された複数の前記ユーザ操作領域のうち、前記ユーザ操作の対象とされたユーザ操作領域に対応付けられた動作を決定する決定部と
して機能させるためのプログラムであって、
前記操作面は、コンテンツを表示する表示画面とは異なる箇所に設けられている
プログラム。
【発明の詳細な説明】
【技術分野】
【０００１】
本開示は、検知装置、検知方法、及びプログラムに関し、特に、例えば、接触や押圧を伴うユーザ操作の操作性を向上させるようにした検知装置、検知方法、及びプログラムに関する。
【背景技術】
【０００２】
従来、例えば、テレビジョン受像機のリモートコントローラでは、チャンネルボタンやボリュームボタン等の押下を検知したことに対応して、テレビジョン受像機のチャンネルやボリューム（音量）を制御するようにしている。【０００３】
ところが、近年、放送番組の他、Webブラウザ等を表示可能なテレビジョン受像機の登場により、操作面に対するユーザの指等による接触や押圧を伴うユーザ操作を検知可能なリモートコントローラが登場してきている。【０００４】
なお、このリモートコントローラは、同一の操作面に対する異なるユーザ操作に応じて、異なるコマンドを出力することができる（例えば、特許文献１参照）。【０００５】
すなわち、例えば、操作面には、テレビジョン受像に表示されたWebブラウザ上のポインタを移動させる際に操作されるポインタ操作領域や、テレビジョン受像機の音量を変更させる際に操作されるボリュームボタン領域が重複して配置されている。【０００６】
このため、例えば、ユーザは、操作面内のポインタ操作領域上で、ユーザの指等を接触させた状態で移動させる接触移動操作を行うことにより、ポインタを移動させることができる。【０００７】
また例えば、ユーザは、操作面内のポインタ操作領域を押圧する押圧操作を行うことにより、ポインタにより指示されたURL(Uniform Resource Locator)等のリンク先を選択する決定を行うことができる。これにより、ユーザは、Webブラウザの表示を、選択したリンク先の表示に変更することができる。【０００８】
さらに例えば、ユーザは、操作面内のボリュームボタン領域を押圧する押圧操作を行うことにより、テレビジョン受像機の音量を変更させることができる。
【先行技術文献】
【特許文献】
【０００９】
【特許文献１】特開２００９−１５１６９１号公報
【発明の概要】
【発明が解決しようとする課題】
【００１０】
ところで、操作面には、上述したように、ポインタ操作領域とボリュームボタン領域が重複して配置されている。【００１１】
したがって、例えば、ユーザが、ポインタ操作領域とボリュームボタン領域が重複して配置された重複領域上で押圧操作を行った場合、ユーザの意図に反して、テレビジョン受像機の音量が変更されてしまうことが生じ得る。【００１２】
すなわち、例えば、ユーザが、ポインタにより指示されたURL等のリンク先を選択する決定を意図して、重複領域を押圧する押圧操作を行ったにも拘らず、テレビジョン受像機の音量が変更されてしまうことがあり、操作面に対するユーザ操作の操作性が良くないものとなっていた。【００１３】
本開示は、このような状況に鑑みてなされたものであり、接触や押圧を伴うユーザ操作の操作性を向上させるようにするものである。
【課題を解決するための手段】
【００１４】
本開示の一側面の検知装置は、ユーザ操作を検知する検知装置であって、ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得部と、前記開始位置に基づいて、重複して配置された複数の前記ユーザ操作領域のうち、前記ユーザ操作の対象とされたユーザ操作領域に対応付けられた動作を決定する決定部とを含み、前記操作面は、コンテンツを表示する表示画面とは異なる箇所に設けられている検知装置である。【００１５】
前記取得部は、前記操作面を対象とした新たな接触が開始されたことに対応して、新たな前記接触が開始されたときの前記操作面上の前記開始位置を取得することができる。【００１６】
前記操作面に対する接触が終了したときから、前記操作面に対する新たな接触が開始されるまでに要した所要時間を計測する時間計測部をさらに設けることができ、前記決定部は、前記所要時間にも基づいて、前記ユーザ操作の対象とされたユーザ操作領域に対応付けられた動作を決定することができる。【００１７】
前記決定部は、前記表示画面上の前記コンテンツの状態にも基づいて、前記ユーザ操作の対象とされたユーザ操作領域に対応付けられた動作を決定することができる。【００１８】
前記決定部は、前記コンテンツが再生中である場合、前記開始位置に拘らず、前記コンテンツを操作対象とする前記対象ユーザ操作領域に対応付けられた動作を決定し、前記コンテンツが再生中ではない場合、前記開始位置に基づいて、前記ユーザ操作の対象とされたユーザ操作領域に対応付けられた動作を決定することができる。【００１９】
前記決定部は、ユーザによる前記操作面の視認の有無にも基づいて、前記対象ユーザ操作領域に対応付けられた動作を決定することができる。【００２０】
前記決定部は、前記ユーザが前記操作面を視認している場合、前記開始位置に基づいて、前記ユーザ操作の対象とされたユーザ操作領域に対応付けられた動作を決定し、前記ユーザが前記操作面を視認していない場合、前記開始位置に拘らず、予め決められた前記対象ユーザ操作領域に対応付けられた動作を決定することができる。【００２１】
前記ユーザの撮像を行う撮像部から得られた撮像画像に基づいて、前記ユーザが前記操作面を視認しているか否かを判定する判定部をさらに設けることができる。【００２２】
前記決定部は、前記表示画面上の前記コンテンツを再生するための前記押圧操作が行われたことに対応して、前記開始位置に拘らず、前記コンテンツを操作対象とする前記対象ユーザ操作領域に対応付けられた動作を決定することができる。【００２３】
前記操作面に対する接触又は押圧の少なくとも一方を検出する検出部をさらに設けることができ、前記取得部は、前記検出部の検出結果に基づいて、前記開始位置を算出することにより取得することができる。【００２４】
前記取得部は、前記ユーザ操作に応じて前記開始位置を検出する操作入力装置から送信される前記開始位置を受信することにより取得することができる。【００２５】
本開示の一側面の検知方法は、ユーザ操作を検知する検知装置の検知方法であって、前記検知装置による、ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得ステップと、前記開始位置に基づいて、重複して配置された複数の前記ユーザ操作領域のうち、前記ユーザ操作の対象とされたユーザ操作領域に対応付けられた動作を決定する決定ステップとを含み、前記操作面は、コンテンツを表示する表示画面とは異なる箇所に設けられている検知方法である。【００２６】
本開示の一側面のプログラムは、コンピュータを、ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得部と、前記開始位置に基づいて、重複して配置された複数の前記ユーザ操作領域のうち、前記ユーザ操作の対象とされたユーザ操作領域に対応付けられた動作を決定する決定部として機能させるためのプログラムであって、前記操作面は、コンテンツを表示する表示画面とは異なる箇所に設けられているプログラムである。【００２７】
本開示の一側面によれば、ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置が取得され、前記開始位置に基づいて、重複して配置された複数の前記ユーザ操作領域のうち、前記ユーザ操作の対象とされたユーザ操作領域に対応付けられた動作が決定される。なお、前記操作面は、コンテンツを表示する表示画面とは異なる箇所に設けられている。
【発明の効果】
【００２８】
本開示によれば、接触や押圧を伴うユーザ操作の操作性を向上させることが可能となる。
【図面の簡単な説明】
【００２９】
【図１】本技術を適用したリモートコントローラの外観例を示す図である。
【図２】タッチパッドの詳細な構成例を示す図である。
【図３】リモートコントローラの構成例を示すブロック図である。
【図４】ユーザの意図に反して、表示画面がスクロールしてしまうときの一例を示す図である。
【図５】本技術を適用した他のリモートコントローラの外観例を示す図である。
【図６】ユーザの意図に反して、コンテンツの早送りが行われてしまうときの一例を示す図である。
【図７】ユーザの意図するタップ操作を判定する判定方法の一例を示す図である。
【図８】図３のリモートコントローラが行う操作検知処理を説明するためのフローチャートである。
【図９】ステップＳ２４における対象領域選択処理の詳細を説明するためのフローチャートである。
【図１０】リモートコントローラの他の構成例を示すブロック図である。
【図１１】押圧操作時における座標の変化等の一例を示す図である。
【図１２】図１０のリモートコントローラが行う座標ロック処理を説明するためのフローチャートである。
【図１３】コンピュータのハードウェアの構成例を示すブロック図である。
【発明を実施するための形態】
【００３０】
以下、本開示における実施の形態（以下、実施の形態という）について説明する。なお、説明は以下の順序で行う。
１．第１の実施の形態（ユーザの指等が最初に接触した位置に基づいて、ユーザ操作の対象とされるユーザ操作領域を選択するときの一例）
２．第２の実施の形態（ユーザの押圧操作が行われたとき、ポインタ等の座標をしばらくの間、固定するときの一例）
３．変形例
【００３１】
＜１．第１の実施の形態＞
[リモートコントローラ２１の外観例]
図１は、リモートコントローラ２１の外観例を示している。
【００３２】
このリモートコントローラ２１の表面には、操作ボタン４１とともに、リモートコントローラ２１の一部を形成するタッチパッド４２の操作面４２aが設けられている。
【００３３】
このため、ユーザは、操作ボタン４１及び操作面４２aを用いて、テレビジョン受像機２２の電源をオンするための操作等を行うことができる。なお、タッチパッド４２については、図２を参照して詳述する。
【００３４】
操作ボタン４１は、電源ボタンや、再生ボタン、停止ボタン等の他、ドラッグボタン４１a等から構成され、ユーザにより操作される。
【００３５】
ドラッグボタン４１aは、予め決められた機能を有するボタンに他の機能を割り当て可能なファンクションキーである。
【００３６】
すなわち、例えば、ユーザが、ドラッグボタン４１aを押下した状態で、テレビジョン受像機２１の電源のオン又はオフする機能を有する電源ボタンを押下した場合、電源ボタンは、例えば再生ボタン等のような他のボタンとして機能するものとなる。
【００３７】
なお、ユーザは、自身の指等で操作面４２aを押圧した状態で、自身の指を操作面４２a上で移動させる第１のドラッグ操作を行うことができる。
【００３８】
その他、例えば、ユーザは、ドラッグボタン４１aを押下した状態で、自身の指を操作面４２a上で移動させる第２のドラッグ操作を行うことができる。
【００３９】
第１のドラッグ操作と第２のドラッグ操作は、いずれも、テレビジョン受像機２２の表示画面に表示された操作対象を移動させる場合や、テレビジョン受像機２２の表示画面上の所定の領域を選択する場合等に行われる。
【００４０】
ユーザは、第１のドラッグ操作を行う場合、操作面４２aのみを操作すればよいため、例えば、両手を使う事無く、片手で、第１のドラッグ操作を行うことができる。
【００４１】
また、ユーザが、ドラッグボタン４１aを用いた第２のドラッグ操作を行う場合、操作面４２aから指等を離しても、ドラッグボタン４１aを押下した状態であれば、第２のドラッグ操作が解除される事態を防止できる。
【００４２】
このため、ユーザは、再度、操作面４２aに指などを接触させれば、第２のドラッグ操作の続きを行うことができる。
【００４３】
操作面４２aには、ユーザが行う操作を表すユーザ操作の対象とされるユーザ操作領域として、ポインタ操作領域A、エッジスクロール領域B1、エッジスクロール領域B2、FRボタン領域C1、及びFFボタン領域C2が設けられている。
【００４４】
ここで、ユーザ操作の種類（操作内容）としては、上述したドラッグ操作の他、接触移動操作や押圧操作等が存在する。
【００４５】
接触移動操作とは、ユーザが自身の指等を操作面４２aに接触させた状態で、例えば、操作対象としてのポインタ等を移動させたい方向に、ユーザの指等を移動させる操作をいう。なお、ポインタは、テレビジョン受像機２２の表示画面に表示される。
【００４６】
また、押圧操作とは、ユーザが自身の指等を用いて、操作面４２a上の位置を押圧する操作をいう。
【００４７】
なお、押圧操作としては、例えば、ユーザの指等を操作面４２aに接触させたままで操作面４２a上の位置を押圧するクリック操作と、ユーザの指等が操作面４２aに接触していない状態で、操作面４２a上の位置をタップする（軽く叩く）ようにして押圧するタップ操作の２種類が存在する。
【００４８】
ポインタ操作領域Aは、図１に示されるように、操作面４２aの表面に全体的に設けられており、接触移動操作及び押圧操作の対象とされる。
【００４９】
すなわち、例えば、ポインタ操作領域Aは、テレビジョン受像機２２の表示画面に表示されるポインタ等を操作対象とし、操作対象としてのポインタ等を移動させる際に、接触移動操作の対象とされる。
【００５０】
また、例えば、ポインタ操作領域Aは、ポインタ等で指し示された位置に存在するURL(Uniform Resource Locator)等のリンク先を操作対象とし、操作対象としてのリンク先を指定する際に、押圧操作の対象とされる。
【００５１】
ポインタ操作領域Aにおいて、図中右側に存在する、図中上下方向（縦方向）に延びる縦長の部分領域には、エッジスクロール領域B1が重複して設けられている。
【００５２】
エッジスクロール領域B1は、テレビジョン受像機２２の表示画面を上下方向にスクロールさせるためのスクロールバーを操作対象として、そのスクロールバーを移動させる際に接触移動操作の対象とされる。
【００５３】
また、エッジスクロール領域B1において、エッジスクロール領域B1の下端部分は、テレビジョン受像機２２の表示画面に表示されたコンテンツを操作対象とし、操作対象としてのコンテンツの早送りをする際に、押圧操作の対象とされる。
【００５４】
なお、エッジスクロール領域B1の下端部分は、FFボタン領域C2が設けられた部分と同一の部分を表す。
【００５５】
さらに、ポインタ操作領域Aにおいて、図中下側に存在する、図中左右方向（横方向）に延びる横長の部分領域には、エッジスクロール領域B2が重複して設けられている。
【００５６】
エッジスクロール領域B2は、テレビジョン受像機２２の表示画面を左右方向にスクロールさせるためのスクロールバーを操作対象として、そのスクロールバーを移動させる際に接触移動操作の対象とされる。
【００５７】
また、エッジスクロール領域B2において、エッジスクロール領域B2の左端部分は、テレビジョン受像機２２の表示画面に表示されたコンテンツを操作対象とし、操作対象としてのコンテンツの巻き戻しをする際に、押圧操作の対象とされる。
【００５８】
なお、エッジスクロール領域B2の左端部分は、FRボタン領域C1が設けられた部分と同一の部分を表す。
【００５９】
さらに、エッジスクロール領域B2において、エッジスクロール領域B2の右端部分は、テレビジョン受像機２２の表示画面に表示されたコンテンツを操作対象とし、操作対象としてのコンテンツの早送りをする際に、押圧操作の対象とされる。
【００６０】
なお、エッジスクロール領域B2の右端部分は、FFボタン領域C2が設けられた部分と同一の部分を表す。
【００６１】
FRボタン領域C1は、テレビジョン受像機２２の表示画面に表示されたコンテンツを操作対象とし、操作対象としてのコンテンツの巻き戻しを行う際に、押圧操作の対象とされる。
【００６２】
また、FFボタン領域C2は、テレビジョン受像機２２の表示画面に表示されたコンテンツを操作対象とし、操作対象としてのコンテンツの早送りを行う際に、押圧操作の対象とされる。
【００６３】
なお、FRボタン領域C1及びFFボタン領域C2は、コンテンツを操作対象とし、操作対象としてのコンテンツの巻き戻し及び早送りを行う際に押圧操作の対象とされるボタン領域Cを形成する。
【００６４】
すなわち、操作面４２aには、ユーザ操作の操作内容が同一であるものの、操作対象が異なるユーザ操作領域として、ポインタ操作領域Aとエッジスクロール領域B1,B2が重複して配置されている。
【００６５】
また、操作面４２aには、操作内容と操作対象のいずれも異なるユーザ操作領域として、ポインタ操作領域Aとボタン領域Cが重複して配置されているとともに、エッジスクロール領域B1,B2とボタン領域Cが重複して配置されている。
【００６６】
なお、上述のように、ポインタ操作領域Aでは、例えば、ポインタ及びリンク先等が操作対象とされ、ユーザ操作の操作内容として、接触移動操作及び押圧操作が採用される。
【００６７】
また、エッジスクロール領域B1,B2では、例えば、スクロールバー及びコンテンツが操作対象とされ、ユーザ操作の操作内容として、接触移動操作及び押圧操作が採用される。
【００６８】
さらに、ボタン領域Cでは、例えば、コンテンツが操作対象とされ、ユーザ操作の操作内容として、押圧操作が採用される。
【００６９】
以下では、ポインタ操作領域A、エッジスクロール領域B1,B2、及びボタン領域Cを、それぞれ、ユーザ操作領域A,B1,B2,Cともいう。
【００７０】
リモートコントローラ２１は、例えば、操作面４２aに対する、ユーザ指等の接触又は押圧の少なくとも一方の検出結果に基づいて、操作面４２a上の開始位置を算出する。なお、操作面４２aに対する接触や押圧は、タッチパッド４２により検出される。
【００７１】
また、開始位置とは、操作面４２aに対する接触が開始されたときの、操作面４２a上の位置を表す。
【００７２】
すなわち、例えば、リモートコントローラ２１は、操作面４２aに対する、ユーザ指等の接触の検出結果に基づいて、ユーザの指等と操作面４２aとが接触する接触面の重心等を、開始位置として算出する。
【００７３】
また、例えば、リモートコントローラ２１は、操作面４２aに対する、ユーザ指等の押圧の検出結果に基づいて、ユーザの指等による圧力が最も大きな位置を、開始位置として算出することもできる。
【００７４】
さらに、例えば、リモートコントローラ２１は、ユーザ指等による接触及び押圧の検出結果に基づいて、開始位置を算出してもよい。第１の実施の形態では、リモートコントローラ２１は、ユーザ指等による接触及び押圧の検出結果に基づいて、開始位置を算出するものとする。
【００７５】
また、リモートコントローラ２１は、算出した操作面上４２a上の開始位置に基づいて、操作面４２a上の複数のユーザ操作領域A,B1,B2,Cの中から、ユーザ操作の対象とされるユーザ操作領域を表す対象ユーザ操作領域を選択する。
【００７６】
さらに、リモートコントローラ２１は、操作面４２a上の対象ユーザ操作領域に対する接触や押圧の検出結果に基づいて、ユーザ操作の操作内容、及びユーザ操作の操作対象を検知する。
【００７７】
そして、リモートコントローラ２１は、その検知結果に基づいて、テレビジョン受像機２２を制御する。
【００７８】
すなわち、例えば、リモートコントローラ２１は、ユーザ操作の操作内容、及びユーザ操作の操作対象の検知結果に基づいて、テレビジョン受像機２２を制御するためのIR信号を生成し、無線信号として、テレビジョン受像機２２に出射する。
【００７９】
テレビジョン受像機２２は、リモートコントローラ２１からのIR信号を受信し、受信したIR信号に基づいて、例えば、操作対象とされたポインタ等を、ユーザ操作の操作内容に応じて移動させる処理を行う。
【００８０】
[タッチパッド４２の詳細]
次に、図２は、タッチパッド４２の詳細な構成例を示している。
【００８１】
タッチパッド４２は、リモートコントローラ２１の一部を形成しており、操作面４２a、スイッチ４２b、並びに、弾性体４２c1及び４２c2から構成される。
【００８２】
操作面４２aは、操作面４２aの静電容量の変化を検知する静電容量センサ等を有し、操作面４２aの静電容量の変化に基づいて、操作面４２aに対する、ユーザの指等の接触を検出する。
【００８３】
スイッチ４２bは、操作面４２aの裏側（ユーザの指等の接触や押圧が行われる面の裏側）に設けられ、操作面４２aにより加圧されることにより、オフ状態からオン状態とされる。すなわち、スイッチ４２bは、オン状態とされたことに対応して、操作面４２aに対する、ユーザの指等の押圧を検出する。
【００８４】
なお、操作面４２aでの検出結果、及びスイッチ４２bでの検出結果は、ユーザ操作の操作内容及び操作対象を検知する処理部４３（図３で後述する）に出力される。
【００８５】
弾性体４２c1及び４２c2は、バネ等の弾性体であり、操作面４２aに対する押圧が行われていないとき、操作面４２aが、リモートコントローラ２１の底面と平行になるように、支持する。
【００８６】
ところで、操作面４２aは、静電容量の変化に基づいて、操作面４２aに対する、ユーザの指等の押圧（加圧）も検出することができる。このため、操作面４２aにおいて、操作面４２aに対する押圧も検出することとすれば、スイッチ４２bを省略することができる。
【００８７】
[リモートコントローラ２１の構成例]
次に、図３は、リモートコントローラ２１の構成例を示している。
【００８８】
リモートコントローラ２１は、ドラッグボタン４１aを含む操作ボタン４１、操作面４２a及びスイッチ４２bを主に含むタッチパッド４２、処理部４３、領域選択部４４、時間計測部４５、及びIR送信部４６から構成される。
【００８９】
操作ボタン４１は、図１に示したように、電源ボタンや、再生ボタン、停止ボタン等の他、ドラッグボタン４１a等からなり、ユーザにより操作される。操作ボタン４１は、ユーザに操作されたことに対応して、ユーザの操作に対応する操作信号を、処理部４３に供給する。
【００９０】
タッチパッド４２は、図２に示したように、主に、操作面４２a及びスイッチ４２bから構成される。操作面４２aは、操作面４２aの静電容量の変化に基づいて、操作面４２bに対する接触を検出し、その検出結果を、処理部４３に供給する。
【００９１】
スイッチ４２bは、操作面４２aに対する押圧を検出し、その検出結果を、処理部４３に供給する。
【００９２】
処理部４３は、操作面４２a及びスイッチ４２bからの検出結果に基づいて、操作面４２a上の開始位置として、操作面４２aに対する、ユーザの指等の接触が開始されたときの位置を算出し、領域選択部４４に供給する。
【００９３】
また、処理部４３は、操作面４２a及びスイッチ４２bから供給される検出結果と、領域選択部４４からの対象ユーザ操作領域（を表す情報）に基づいて、ユーザ操作の操作内容、及びユーザ操作の操作対象を検知し、その検知結果を、IR送信部４６に供給する。
【００９４】
さらに、処理部４３は、操作面４２aに対する一連のユーザ操作が終了されたとき、操作面４２a及びスイッチ４２bからの検出結果に基づいて、直前のユーザ操作が、ポインタ等を移動させる移動接触操作であったか否かを判定する。
【００９５】
そして、処理部４３は、操作面４２a及びスイッチ４２bからの検出結果に基づいて、直前のユーザ操作が、ポインタ等を移動させる移動接触操作であったと判定した場合、時間計測部４５を制御して、後述する所要時間の計測を開始させる。
【００９６】
また、処理部４３は、操作面４２aに対する新たな一連のユーザ操作が開始されたとき、時間計測部４５を制御して、所要時間の計測を終了させる。
【００９７】
これにより、時間計測部４５は、処理部４３からの制御に従い、ユーザの指などが操作面４２aから離れたときから、接触するまでに要した所要時間を計測し、領域選択部４４に供給する。
【００９８】
さらに、処理部４３は、操作ボタン４１からの操作信号に基づいて、操作ボタン４１に対するユーザ操作の操作内容及び操作対象を検知し、その検知結果をIR送信部４６に供給する。
【００９９】
領域選択部４４は、処理部４３からの開始位置に基づいて、操作面４２a上の複数のユーザ操作領域A,B1,B2,Cの中から、ユーザ操作の対象とされるユーザ操作領域を表す対象ユーザ操作領域を選択し、処理部４３に供給する。
【０１００】
また、領域選択部４４は、時間計測部４５から、所要時間が供給される場合、処理部４３からの開始位置の他、時間計測部４５からの所要時間にも基づいて、複数のユーザ操作領域A,B1,B2,Cの中から、対象ユーザ操作領域を選択する。
【０１０１】
なお、領域選択部４４が、処理部４３からの開始位置に基づいて、対象ユーザ操作領域を選択する第１の選択方法は、図４乃至図６を参照して詳述する。また、領域選択部４４が、処理部４３からの開始位置の他、時間計測部４５からの所要時間にも基づいて、対象ユーザ操作領域を選択する第２の選択方法は、図７を参照して詳述する。
【０１０２】
時間計測部４５は、上述のように、処理部４３からの制御にしたがって、ユーザの指などが操作面４２aから離れたときから、接触するまでに要した所要時間を計測し、その計測により得られる所要時間を、領域選択部４４に供給する。
【０１０３】
IR送信部４６は、処理部４３からの検知結果に基づいて、テレビジョン受像機２２を制御するためのIR信号を生成し、無線信号として、テレビジョン受像機２２に送信する。すなわち、例えば、IR送信部４６は、処理部４３からの検知結果に基づいて、対象ユーザ操作領域に対応付けられた動作を決定し、決定した動作を行わせるためのIR信号を生成して送信する。
【０１０４】
次に、図４は、クリック操作後に、接触移動操作を行ったことにより、ユーザの意図に反して、テレビジョン受像機２２の表示画面がスクロールしてしまうときの一例を示している。
【０１０５】
図４のAには、一連のユーザ操作として、FRボタン領域C1内のクリック位置６１でクリック操作を行うとともに、クリック位置６１から、FFボタン領域C2内のクリック位置６２まで接触移動操作を行い、クリック位置６２で新たなクリック操作を行うときの一例が示されている。
【０１０６】
なお、ユーザは、所望の再生位置からコンテンツを再生するために、テレビジョン受像機２２に表示されるコンテンツの巻き戻しと早送りを行うことを意図して、図４のAに示した一連のユーザ操作を行っているものとする。
【０１０７】
また、クリック位置６１は、操作面４２a上の開始位置であるものとする。
【０１０８】
図４のBには、テレビジョン受像機２２の表示画面において、図４のAに示される一連のユーザ操作により、スクロールバー６３が図中右方向に移動することにより、ユーザの意図に反して、コンテンツ６４を表示中の表示画面がスクロールされるときの一例が示されている。
【０１０９】
例えば、ユーザが、図４のAに示されるような一連のユーザ操作を行った場合、テレビジョン受像機２２の表示画面では、図４のBに示されるように、クリック位置６１でのクリック操作により、コンテンツ６４の巻き戻しが行われる。
【０１１０】
そして、テレビジョン受像機２２の表示画面では、エッジスクロール領域B2内で行われる接触移動操作により、スクロールバー６１が、ユーザの意図に反して移動し、表示画面がスクロールされてしまうことが生じ得る。
【０１１１】
このため、リモートコントローラ２１の領域選択部４４は、操作面４２a上の開始位置としてのクリック位置６１に基づいて、複数のユーザ操作領域A,B1,B2,Cの中から、ボタン領域Cを、対象ユーザ操作領域Cとして選択するようにしている。
【０１１２】
そして、処理部４３は、操作面４２aに対する一連のユーザ操作が終了するまで、領域選択部４４で選択された対象ユーザ操作領域Cを対象としたユーザ操作のみを検知するようにしている。
【０１１３】
これにより、図４のAに示された一連のユーザ操作が終了するまでの間、処理部４３において、ボタン領域C(FRボタン領域C1及びFFボタン領域C2)を対象とした押圧操作のみが検知される。
【０１１４】
なお、処理部４３は、例えば、ユーザの指等が操作面４２aから離れたと判定したときに、図４のAに示した一連のユーザ操作の終了を識別する。
【０１１５】
また、例えば、処理部４３は、操作面４２a上の任意の位置で、予め決められた時間以上、ユーザの指が接触していると判定したときに、図４のAに示した一連のユーザ操作の終了を識別するようにしてもよい。
【０１１６】
この場合、処理部４３は、例えば、一連のユーザ操作の終了を識別後、操作面４２a上の任意の位置で、予め決められた時間以上、ユーザの指が接触していると判定したとき、ユーザの指等の接触が新たに開始されたものとして、新たな開始位置を算出する。
【０１１７】
なお、本技術は、図１に示したようなリモートコントローラ２１に限定されず、例えば、図５に示されるようなリモートコントローラ２１'についても適用することができる。
【０１１８】
図５のリモートコントローラ２１'は、リモートコントローラ２１'の表面全体が操作面４２a'とされる。
【０１１９】
この操作面４２a'には、図５下側に示されるように、例えば、音量（ボリューム）を変更する際に操作されるボリューム操作領域B2'、電源ボタンとして機能する電源ボタン領域、ポインタ操作領域、メニューボタンとして機能するメニューボタン領域、及び十字キーとして機能する十字キー領域が設けられている。
【０１２０】
ボリューム操作領域B2'では、コンテンツの音量が操作対象とされ、ユーザ操作の操作内容として、接触移動操作が採用される。
【０１２１】
このため、例えば、ユーザが、ボリューム操作領域B2'上で、ユーザの指等を図中左方向から右方向に移動させる接触移動操作を行った場合、表示画面に表示されるコンテンツの音量は、より大きな音量とされる。
【０１２２】
また、例えば、ユーザが、ボリューム操作領域B2'上で、ユーザの指等を図中右方向から左方向に移動させる接触移動操作を行った場合、表示画面に表示されるコンテンツの音量は、より小さな音量とされる。
【０１２３】
なお、ユーザの指等の移動距離が大である程、又はユーザの指等の移動時の動きが速い程、音量はより大きく変化するものとなる。
【０１２４】
ボリューム操作領域B2'において、図５上側に示されるように、図中左側に存在する矩形の領域には、ボリュームダウン領域C1'が重複して設けられ、図中右側に存在する矩形の領域には、ボリュームアップ領域C2'が重複して設けられている。
【０１２５】
ボリュームダウン領域C1'及びボリュームアップ領域C2'は、コンテンツの音量を操作対象とし、ユーザ操作の操作内容として、押圧操作を採用したボリューム領域C'を構成する。
【０１２６】
例えば、ユーザが、ボリュームダウン領域C1'上で押圧操作を行った場合、表示画面に表示されるコンテンツの音量は、予め決められた変化量だけ小さな音量とされる。
【０１２７】
また、例えば、ユーザが、ボリュームアップ領域C2'上で押圧操作を行った場合、表示画面に表示されるコンテンツの音量は、予め決められた変化量だけ大きな音量とされる。
【０１２８】
図５において、操作面４２a'には、ユーザ操作の操作内容が異なるものの、操作対象が同一のユーザ操作領域として、ボリューム操作領域B2'とボリューム領域C'(ボリュームダウン領域C1'及びボリュームアップ領域C2')が重複して配置されている。
【０１２９】
例えば、ユーザが、ボリュームダウン領域C1'及びボリュームアップ領域C2'に対するクリック操作を行うことにより、音量を調整する一連のユーザ操作を行う場合、ユーザの意図に反して、図４で説明した場合と同様の現象が生じ得る。
【０１３０】
なお、ボリューム操作領域B2'、ボリュームダウン領域C1'、及びボリュームアップ領域C2'は、それぞれ、図４のAに示したエッジスクロール領域B2、FRボタン領域C1、及びFFボタン領域C2に対応する。
【０１３１】
すなわち、例えば、ユーザが、ボリュームダウン領域C1'上のクリック位置６１'でクリック操作を行った後、ボリュームダウン領域C2'上のクリック位置６２'で新たにクリック操作を行うために、クリック位置６１'からクリック位置６２'まで指を移動する。
【０１３２】
この場合、ボリューム操作領域B2'において、クリック位置６１'からクリック位置６２'までの接触移動操作が行われることとなり、ユーザの意図に反して、ユーザの指の速さ等に応じた変化量だけ、音量が大きくなってしまうことが生じ得る。
【０１３３】
このため、リモートコントローラ２１'においても同様に、操作面４２a'上の開始位置としてのクリック位置６１'に基づいて、複数のユーザ操作領域B2'及びC'の中から、ボリューム領域C'を、対象ユーザ操作領域C'として選択するようにしている。
【０１３４】
そして、リモートコントローラ２１'は、操作面４２a'に対する一連のユーザ操作が終了するまで、対象ユーザ操作領域Cを対象としたユーザ操作のみを検知するようにしている。
【０１３５】
これにより、音量を調整する一連のユーザ操作が終了するまでの間、リモートコントローラ２１'において、ボリューム領域C'(ボリュームダウン領域C1'及びボリュームアップ領域C2')を対象とした押圧操作のみが検知される。
【０１３６】
すなわち、図１乃至図５を参照して説明したように、本技術は、以下のようなリモートコントローラに適用できる。
【０１３７】
つまり、本技術は、ユーザ操作の対象とされるとともに、ユーザ操作に応じて検知される、ユーザ操作の操作内容又はユーザ操作の操作対象の少なくとも一方が異なるユーザ操作領域を重複して配置した操作面を有するリモートコントローラに適用できる。
【０１３８】
具体的には、例えば、本技術は、ユーザ操作の操作内容が同一であり、操作対象が異なるユーザ操作領域が重複して配置される操作面４２aを有するリモートコントローラ２１に適用できる。
【０１３９】
また、例えば、本技術は、ユーザ操作の操作内容と操作対象のいずれも異なるユーザ操作領域が重複して配置される操作面４２aを有するリモートコントローラ２１にも適用できる。
【０１４０】
さらに、本技術は、ユーザ操作の操作内容が異なり、操作対象が同一のユーザ操作領域として、ボリューム操作領域B2'とボリューム領域C'が重複して配置される操作面４２a'を有するリモートコントローラ２１'に適用できる。
【０１４１】
次に、図６は、ポインタを移動させる接触移動操作後に、ポインタにより指示される位置で決定を行うクリック操作を行ったことにより、ユーザの意図に反して、コンテンツの早送りが行われてしまうときの一例を示している。
【０１４２】
図６のAには、一連のユーザ操作として、ユーザの指を操作面４２aに接触させた状態で、ユーザの指を開始位置８１からクリック位置８２まで接触移動操作を行い、接触移動操作後のクリック位置８２でクリック操作を行うときの一例が示されている。
【０１４３】
なお、開始位置８１は、エッジスクロール領域B1,B2、FRボタン領域C1、及びFFボタン領域C2のいずれも重複していないポインタ操作領域A上の位置であるものとする。
【０１４４】
図６のBには、図６のAに示される一連のユーザ操作により、ユーザの意図に反して、コンテンツ８４の早送りが行われてしまうときの一例が示されている。
【０１４５】
例えば、ユーザが、図６のAに示されるような一連のユーザ操作を行った場合、テレビジョン受像機２２の表示画面では、開始位置８１からクリック位置８２までを移動する接触移動操作により、図６のBに示されるように、ポインタ８３が上から下方向に移動される。
【０１４６】
そして、テレビジョン受像機２２の表示画面では、FFボタン領域C2内のクリック位置８２で行われるクリック操作により、ユーザの意図に反して、コンテンツ８４の早送りが行われることが生じ得る。
【０１４７】
すなわち、例えば、ユーザは、ポインタ８３で指示されたURL等のリンク先を選択する決定を意図して、クリック操作を行ったにも拘らず、コンテンツ８４の早送りが行われることが生じ得る。
【０１４８】
このため、リモートコントローラ２１の領域選択部４４は、操作面４２a上の開始位置８１に基づいて、複数のユーザ操作領域A,B1,B2,Cの中から、ポインタ操作領域Aを、対象ユーザ操作領域Aとして選択するようにしている。
【０１４９】
そして、処理部４３は、操作面４２aに対する一連のユーザ操作が終了するまで、領域選択部４４で選択された対象ユーザ操作領域Aを対象としたユーザ操作のみを検知するようにしている。
【０１５０】
よって、処理部４３は、クリック位置８２でのクリック操作を、ポインタ８３で指示されたURL等のリンク先を選択する決定を意図するクリック操作として検知するため、ユーザの意図に反して、コンテンツ８４の早送りが行われる事態を防止することが可能となる。
【０１５１】
ところで、図６のAでは、クリック位置８２でクリック操作を行うときの例を説明したが、例えば、ユーザは、クリック位置８２で一度、ユーザの指の接触を解除した後、クリック位置８２でタップ操作を行うことが考えられる。
【０１５２】
この場合、ユーザの指の接触を解除した直後にタップ操作を行うときには、ポインタ８３で指示した位置での決定を意図するタップ操作である。また、ユーザの指の接触を解除して、ある程度の時間の経過後に、タップ操作を行うときには、コンテンツ８４の早送りを意図するタップ操作である。
【０１５３】
次に、図７は、クリック位置８２で行われるタップ操作が、ポインタ８３で指示した位置での決定を意図するタップ操作であるのか、それとも、コンテンツ８４の早送りを意図するタップ操作であるのかを判定するときの一例を示している。
【０１５４】
図７において、横軸は時間を表し、縦軸は、操作面４２a上の、Y軸方向の位置yを表す。ここで、Y軸方向とは、エッジスクロール領域B1が縦長に延びる方向をいう。なお、図７では、説明を簡単にするため、Y軸と垂直なX軸方向の位置xを省略している。
【０１５５】
また、図７において、位置y1,y2,y3,y4は、それぞれ、操作面４２aに対する接触が開始されたときの開始位置を表す。
【０１５６】
さらに、位置y1,y2,y3,y4において、位置y1,y2は、それぞれ、エッジスクロール領域B1,B2、FRボタン領域C1、及びFFボタン領域C2のいずれも重複していないポインタ操作領域A上の位置を表す。また、位置y3,y4は、FFボタン領域C2上の位置を表す。
【０１５７】
さらに、位置y1',y2',y3',y4'は、それぞれ、FFボタン領域C2上の位置であって、操作面４２aに対する接触が解除されたときの位置を表す。
【０１５８】
領域選択部４４は、図７左側に示されるように、位置y1から位置y1'まで接触移動操作が行われ、位置y1'でクリック操作が行われた場合、開始位置８１としての開始位置y1に基づいて、ポインタ操作領域Aを、対象ユーザ操作領域Aとして選択する。
【０１５９】
この場合、位置y1'でのクリック操作は、ポインタ８３で指示した位置での決定を意図するクリック操作として、処理部４３により検知される。
【０１６０】
また、領域選択部４４は、図７中央に示されるように、位置y2から位置y2'まで接触移動操作が行われ、位置y2'でユーザの指等の接触を解除してからタップ操作が行われるまでの所要時間T1が、予め決められた一定時間Tw未満であるか否かに基づいて、対象ユーザ操作領域を選択する。
【０１６１】
ここで、所要時間T1とは、位置y2'でユーザの指等の接触が解除されたときから、タップ操作により、ユーザの指等が位置y3で接触するまでに要した時間をいう。
【０１６２】
図７中央において、所要時間T1は、一定時間Tw未満であるため、領域選択部４４は、ポインタ操作領域Aを、対象ユーザ操作領域Aとして選択する。
【０１６３】
この場合、位置y3でのタップ操作は、ポインタ８３で指示した位置での決定を意図するタップ操作として、処理部４３により検知され、コンテンツ８４の早送りを意図するタップ操作は検知されない。
【０１６４】
さらに、領域選択部４４は、図７右側に示されるように、位置y3'でユーザの指等の接触を解除してからタップ操作が行われるまでの所要時間T2が、予め決められた一定時間Tw未満であるか否かに基づいて、対象ユーザ操作領域を選択する。
【０１６５】
ここで、所要時間T2とは、位置y3'でユーザの指等の接触が解除されたときから、タップ操作により、ユーザの指等が位置y4で接触するまでに要した時間をいう。
【０１６６】
図７右側において、所要時間T2は、一定時間Tw未満ではないため、領域選択部４４は、ボタン領域C(FRボタン領域C1及びFFボタン領域C2)を、対象ユーザ操作領域Cとして選択する。
【０１６７】
この場合、位置y4でのタップ操作は、コンテンツ８４の早送りを意図するタップ操作として、処理部４３により検知される。
【０１６８】
[図３のリモートコントローラ２１の動作説明]
次に、図８のフローチャートを参照して、図３のリモートコントローラ２１が行う操作検知処理について説明する。
【０１６９】
ステップＳ２１において、タッチパッド４２は、操作面４２aに対する接触や押圧を検出し、その検出結果を、処理部４３に供給する。
【０１７０】
すなわち、タッチパッド４２の操作面４２aは、内蔵する静電容量センサ等から得られる静電容量の変化に基づいて、操作面４２aに対する、ユーザの指等の接触を検出し、その検出結果を、処理部４３に供給する。
【０１７１】
また、タッチパッド４２のスイッチ４２bは、操作面４２aに対する押圧を検出し、その検出結果を、処理部４３に供給する。
【０１７２】
ステップＳ２２では、処理部４３は、操作面４２a及びスイッチ４２bからの検出結果に基づいて、ユーザの指等が、操作面４２aに接触したか否かを判定し、ユーザの指等が、操作面４２aに接触したと判定するまで、ステップＳ２１及びステップＳ２２の処理を繰り返す。
【０１７３】
そして、ステップＳ２２では、処理部４３は、操作面４２a及びスイッチ４２bからの検出結果に基づいて、ユーザの指等が、操作面４２aに接触したと判定した場合、処理をステップＳ２３に進める。
【０１７４】
ステップＳ２３では、処理部４３は、操作面４２a及びスイッチ４２bからの検出結果に基づいて、操作面４２a上の開始位置を算出し、領域選択部４４に供給する。
【０１７５】
ステップＳ２４では、領域選択部４４は、処理部４３からの、操作面４２a上の開始位置に基づいて、複数のユーザ操作領域A,B1,B2,Cの中から、一連のユーザ操作の対象とされる対象ユーザ操作領域を選択する対象領域選択処理を行う。
【０１７６】
領域選択部４４は、対象領域選択処理により選択した対象ユーザ操作領域を処理部４３に供給する。
【０１７７】
なお、ステップＳ２４における対象領域選択処理は、図９のフローチャートを参照して詳述する。
【０１７８】
ステップＳ２５では、処理部４３は、操作面４２a及びスイッチ４２bからの検出結果と、領域選択部４４からの対象ユーザ操作領域に基づいて、操作面４２aに対するユーザ操作の操作内容、及びユーザ操作の操作対象を検知し、その検知結果を、IR送信部４６に供給する。
【０１７９】
ステップＳ２６では、IR送信部４６は、処理部４３から検知結果に基づいて、テレビジョン受像機２２を制御するためのIR信号を生成し、無線信号として、テレビジョン受像機２２に送信（出射）する。
【０１８０】
ステップＳ２７では、処理部４３は、操作面４２a及びスイッチ４２bからの検出結果に基づいて、操作面４２aに接触していたユーザの指等が、操作面４２aから離れたか否かを判定する。
【０１８１】
処理部４３は、操作面４２a及びスイッチ４２bからの検出結果に基づいて、ユーザの指等が、操作面４２aから離れていないと判定した場合、処理をステップＳ２５に戻し、ステップＳ２５において、それ以降、同様の処理が行われる。
【０１８２】
また、処理部４３は、操作面４２a及びスイッチ４２bからの検出結果に基づいて、ユーザの指等が、操作面４２aから離れたと判定した場合、つまり、一連のユーザ操作が終了したと判定した場合、処理をステップＳ２８に進める。
【０１８３】
ステップＳ２８では、処理部４３は、一連のユーザ操作の終了を判定したことに対応して、直前のユーザ操作が、ポインタ操作領域Aを対象とした接触移動操作であったか否かを判定する。
【０１８４】
処理部４３は、直前のユーザ操作が、ポインタ操作領域Aを対象とした接触移動操作ではないと判定した場合、ステップＳ２９をスキップして操作検知処理を終了する。
【０１８５】
また、ステップＳ２８において、処理部４３は、直前のユーザ操作が、ポインタ操作領域Aを対象とした接触移動操作であると判定した場合、処理をステップＳ２９に進め、時間計測部４５を制御する。
【０１８６】
ステップＳ２９では、時間計測部４５は、処理部４３からの制御にしたがって、ユーザの指等が、操作面４２aから離れたときから、再度、操作面４２aに接触するまでに要した所要時間を計測する。
【０１８７】
なお、ステップＳ２９において、時間計測部４５は、処理部４３からの制御にしたがって、所要時間の計測を終了し、計測した所要時間を、領域選択部４４に供給して、この操作検知処理は終了される。すなわち、処理部４３は、新たな操作検知処理のステップＳ２２において、ユーザの指等が操作面４２aに接触したと判定するまで、時間計測部４５に所要時間の計測を行わせる。
【０１８８】
[対象領域選択処理の詳細]
次に、図９のフローチャートを参照して、図８のステップＳ２４における対象領域選択処理の詳細を説明する。
【０１８９】
ステップＳ４１では、領域選択部４４は、処理部４３からの、操作面４２a上の開始位置が、ユーザ操作領域C上の位置であるか否かを判定する。
【０１９０】
領域選択部４４は、処理部４３からの操作面４２a上の開始位置が、ユーザ操作領域C上の位置ではないと判定した場合、処理をステップＳ４２に進める。
【０１９１】
ステップＳ４２では、領域選択部４４は、処理部４３からの操作面４２a上の開始位置が、ユーザ操作領域B1又はB2上の位置であるか否かを判定する。
【０１９２】
そして、領域選択部４４は、処理部４３からの操作面４２a上の開始位置が、ユーザ操作領域B1又はB2上の位置ではないと判定した場合、すなわち、ユーザ操作領域B1,B2及びCのいずれも重複していないユーザ操作領域A上の位置であると判定した場合、処理をステップＳ４３に進める。
【０１９３】
ステップＳ４３では、領域選択部４４は、ユーザ操作領域Aを、対象ユーザ操作領域Aとして選択する。
【０１９４】
また、ステップＳ４２において、領域選択部４４は、処理部４３からの操作面４２a上の開始位置が、ユーザ操作領域B1又はB2上の位置であると判定した場合、処理をステップＳ４４に進め、開始位置を含むユーザ操作領域B(ユーザ操作領域B1又はB2の一方)を選択する。
【０１９５】
ステップＳ４１において、領域選択部４４は、処理部４３からの操作面４２a上の開始位置が、ユーザ操作領域C上の位置であると判定した場合、処理をステップＳ４５に進める。
【０１９６】
ステップＳ４５では、領域選択部４４は、時間計測部４５から所要時間が供給されたか否かに基づいて、直前のユーザ操作が、ユーザ操作領域（ポインタ操作領域）Aを対象とした接触移動操作であったか否かを判定する。
【０１９７】
領域選択部４４は、直前のユーザ操作が、ユーザ操作領域Aを対象とした接触移動操作ではないと判定した場合、ステップＳ４６をスキップして、処理をステップＳ４７に進める。
【０１９８】
また、ステップＳ４５では、領域選択部４４は、直前のユーザ操作が、ユーザ操作領域Aを対象とした接触移動操作であると判定した場合、すなわち、時間計測部４５から所要時間が供給されている場合、処理をステップＳ４６に進める。
【０１９９】
ステップＳ４６では、領域選択部４４は、時間計測部４５からの所要時間が、予め決められた一定時間Tw未満であるか否かを判定し、所要時間が一定時間Tw未満であると判定した場合、処理をステップＳ４３に進め、ユーザ操作領域Aを、対象ユーザ操作領域Aとして選択する。
【０２００】
また、ステップＳ４６では、領域選択部４４は、時間計測部４５からの所要時間が、予め決められた一定時間Tw未満ではないと判定した場合、処理をステップＳ４７に進め、ユーザ操作領域Cを、対象ユーザ操作領域Cとして選択する。その後、処理は、図８のステップＳ２４に戻り、それ以降の処理が行なわれる。
【０２０１】
以上説明したように、操作検知処理では、例えば、操作面４２a上の開始位置に基づいて、複数のユーザ操作領域の中から、ユーザ操作の対象とされる対象ユーザ操作領域を選択するようにした。
【０２０２】
このため、ユーザ操作に応じて検知される、ユーザ操作の操作内容又は操作対象の少なくとも一方が異なるユーザ操作領域A,B1,B2,Cを重複して配置した操作面４２aを有するリモートコントローラ２１等において、ユーザの意図に反した操作が検知される事態を防止できる。
【０２０３】
よって、リモートコントローラ２１において、操作面４２aに対する操作性を向上させることが可能となる。
【０２０４】
ところで、ユーザが、操作面４２aに対して押圧操作を行う場合、操作面４２aに対する圧力の変化に応じて、ユーザの指が触れる操作面４２a上の接触面も変化する。
【０２０５】
ユーザ操作に応じて算出される座標は、例えば、ユーザの指と操作面４２aとの接触面の面積に基づき算出されるため、押圧操作時には、ユーザの意図に反したポインタの移動が生じ得る。なお、座標は、例えば、表示画面上の、ポインタ８３の位置を表すものとして算出される。
【０２０６】
そこで、押圧操作時には、操作面４２aに対するユーザ操作に拘らず、ポインタ８３等の座標を固定するようにして、ユーザの意図に反したポインタ８３の移動を防止することが望ましい。
【０２０７】
＜２．第２の実施の形態＞
[リモートコントローラ２１の他の構成例]
次に、図１０は、ユーザの意図に反したポインタの移動を防止することにより、操作性をより向上させるようにしたリモートコントローラ２１の他の構成例を示している。
【０２０８】
なお、図１０のリモートコントローラ２１において、図３のリモートコントローラ２１と同様に構成される部分には、同一の符号を付すようにしているので、それらの説明は、以下、適宜省略する。
【０２０９】
すなわち、図１０のリモートコントローラ２１では、図３の処理部４３に代えて、計時部１０１aを内蔵する処理部１０１が設けられているとともに、新たに座標保持部１０２が設けられている他は、図３のリモートコントローラ２１と同様に構成される。
【０２１０】
処理部１０１は、図３の処理部４３と同様の処理を行う。すなわち、例えば、処理部１０１は、操作面４２a及びスイッチ４２bからの検出結果と、領域選択部４４からの対象ユーザ操作領域に基づいて、ユーザ操作の操作内容及び操作対象を検知する。
【０２１１】
また例えば、処理部１０１は、領域選択部４４からの対象ユーザ操作領域として、ポインタ操作領域Aが供給された場合、検知したユーザ操作の操作内容に基づいて、ポインタ８３の座標を算出し、IR送信部４６に供給する。
【０２１２】
IR送信部４６は、処理部１０１からの検知結果に基づいて、処理部１０１から供給される座標を含むIR信号を生成し、テレビジョン受像機２２に送信する。
【０２１３】
なお、第２の実施の形態では、処理部１０１が、ポインタ８３の座標を算出するものとして説明する。しかし、IR送信部４６が、処理部１０１からの検知結果に含まれる、ユーザ操作の操作内容に基づいて、ポインタ８３の座標を算出し、算出した座標を含むIR信号を生成するようにしてもよい。
【０２１４】
さらに、例えば、処理部１０１は、ポインタ操作領域Aを対象としたユーザの押下操作が行われたときに算出した座標を、座標保持部１０２に供給して保持させる。
【０２１５】
ところで、操作面４２aは、静電容量の変化に基づいて、操作面４２aに対する、ユーザの指等の押圧の有無も検出することができる。このため、操作面４２aにおいて、操作面４２aに対する押圧の有無も検出することとすれば、スイッチ４２bを省略することができる。
【０２１６】
処理部１０１は、スイッチ４２ｂがオフ状態とされたときから、座標保持部１０２に保持済みの座標を、例えばポインタ８３の座標として、ユーザ操作の操作内容及び操作対象の検知結果とともに、IR送信部４６に供給する。
【０２１７】
そして、処理部１０１は、座標保持部１０２に保持済みの座標を、ポインタ８３の座標としてIR送信部４６に供給する処理を、スイッチ４２bがオフ状態とされてからの経過時間が、予め決められた座標固定時間を経過するまで行う。
【０２１８】
すなわち、例えば、処理部１０１は、スイッチ４２bからの検出結果に基づいて、スイッチ４２bがオン状態とされたことを識別したことに対応して、座標保持部１０２に保持済みの座標を、ポインタ８３の座標として、IR送信部４６に供給する。
【０２１９】
そして、処理部１０１は、スイッチ４２bからの検出結果に基づいて、スイッチ４２bがオフ状態とされたことを識別したことに対応して、内蔵する計時部１０１aに計時を開始させる。
【０２２０】
なお、例えば、処理部１０１は、計時部１０１aを内蔵し、計時部１０１aは、スイッチ４２bがオフ状態とされたときからの経過時間を計時する。
【０２２１】
処理部１０１は、内蔵する計時部１０１aの計時結果に基づいて、スイッチ４２bがオフ状態とされたときから予め決められた座標固定時間を経過したか否かを判定する。
【０２２２】
そして、処理部１０１は、スイッチ４２bがオフ状態とされたときから座標固定時間を経過するまで、座標保持部１０２に保持済みの座標を、IR送信部４６に供給する。
【０２２３】
なお、ユーザが、操作面４２bの押圧を終了した直後から、ポインタ８３を移動させる接触移動操作等を行うことは殆どないことが、一般的なユーザのログデータ等を解析した解析結果等によりわかっている。
【０２２４】
このため、例えば、座標固定時間は、操作面４２bの押圧を終了した直後から、ポインタ８３を移動させる接触移動操作等を行うまでの平均的な時間以下の時間とされる。
【０２２５】
IR送信部４６は、処理部１０１からの検知結果に基づいて、同じく処理部１０１から供給される座標を含むIR信号を生成し、テレビジョン受像機２２に送信する。IR信号に含まれる座標は、例えば、テレビジョン受像機２２の表示画面上のポインタ８３等の位置を表す情報として用いられる。
【０２２６】
なお、座標固定時間は、予め決められているものとしたが、その他、例えば、ユーザに応じて異なる座標固定時間とすることができる。
【０２２７】
すなわち、例えば、図１０のリモートコントローラ２１の使用前に、処理部１０１は、ユーザに、操作面４２aを対象とした押圧操作を行わせ、その押圧操作から得られる接触面の面積や、スイッチ４２bがオン状態とされる押圧時間などにより、座標固定時間を決定する。
【０２２８】
さらに、例えば、処理部１０１は、ユーザの押圧操作により得られる接触面の面積や押圧時間等の履歴を保持するようにしておき、その履歴に基づいて、座標固定時間を変更するようにしてもよい。
【０２２９】
また例えば、座標固定時間は、スイッチ４２bがオン状態とされている時間を表す押圧時間に基づいて、適宜、決まるようにしてもよい。
【０２３０】
座標保持部１０２は、処理部１０１から供給される座標を保持する。
【０２３１】
次に、図１１は、ユーザの押圧操作時における座標の変化などを示している。
【０２３２】
図１１のAは、ユーザの押圧操作が行われたときに、操作面４２aとユーザの指等との接触面の重心が変化（変位）する様子の一例を示している。
【０２３３】
図１１のBは、ユーザの押圧操作に応じて、スイッチ４２bがオン状態又はオフ状態とされるときの一例を示している。
【０２３４】
図１１のCは、座標を固定せずに、算出される座標をそのまま出力するときの座標の変化の様子の一例を示している。
【０２３５】
図１１のDは、スイッチ４２bがオン状態とされている時間を表す押圧時間だけ、座標を固定（ロック）したときの座標の変化の様子の一例を示している。
【０２３６】
図１１のEは、さらに、スイッチ４２bがオン状態とされたときから、押圧時間よりも長い座標固定時間だけ、座標を固定したときの座標の変化の様子の一例を示している。
【０２３７】
図１１のAに示されるように、ユーザの押圧操作により、操作面４２aとの接触面の重心が変化することが、本発明者が行なった実験により分かっている。
【０２３８】
図１１のCに示されるような座標を用いる場合、ポインタ８３の位置で決定を行うための押圧操作が行われたことに対応し、ユーザの意図に反して、ポインタ８３が上下に移動してしまうことが生じ得る。
【０２３９】
このため、図１１のDに示されるように、スイッチ４２bがオン状態とされている押圧時間だけ、ポインタ８３の座標を固定するようにして、ポインタ８３が、ユーザの意図に反して移動する事態を抑止することが望ましい。
【０２４０】
しかしながら、押圧時間だけ、ポインタ８３の座標を固定する場合、スイッチ４２bがオフ状態とされた後、図１１のDに示されるように、ポインタ８３が上方向に移動してしまうことが生じ得る。
【０２４１】
このため、本開示では、図１１のEに示されるように、スイッチ４２bがオフ状態とされた後も、しばらくの間、ポインタ８３等の座標を固定（ロック）するようにして、ポインタ８３が、ユーザの意図に反して移動する事態を防止するようにしている。
【０２４２】
なお、スイッチ４２bがオン状態とされたときの座標は、スイッチ４２bがオン状態とされる直前の座標とは異なるものとなるが、その差異は僅かなものであることが、本発明者の行なった実験によりわかっている。
【０２４３】
このため、図１０のリモートコントローラ２１では、スイッチ４２bがオン状態とされたときの座標を、ポインタ８３等の座標として固定するようにしている。
【０２４４】
また、図１０のリモートコントローラ２１では、スイッチ４２bがオン状態とされたときから、所定時間だけ前の座標（例えば、オン状態とされる直前の座標）を、ポインタ８３等の座標として固定するようにしてもよい。なお、この場合、図１０のリモートコントローラ２１は、算出した座標を一定期間だけ保持するメモリを有しているものとする。
【０２４５】
このように構成すれば、スイッチ４２bがオン状態とされる際に、ポインタ８３等の座標が変化する事態を防止できる。
【０２４６】
[図１０のリモートコントローラ２１の動作説明]
次に、図１２のフローチャートを参照して、図１０のリモートコントローラ２１が行う座標ロック処理について説明する。
【０２４７】
ステップＳ６１では、処理部１０１は、操作面４２a及びスイッチ４２bからの検出結果と、領域選択部４４からの対象ユーザ操作領域に基づいて、ユーザ操作の操作内容及び操作対象を検知する。そして、処理部１０１は、その検知結果に基づいて、ユーザの指などが接触している操作面４２a上の位置に対応する、ポインタ８３等の座標を算出する。
【０２４８】
すなわち、例えば、処理部１０１は、領域選択部４４からの対象ユーザ操作領域として、ポインタ操作領域Aが供給された場合、検知結果に含まれるユーザ操作の操作内容に基づいて、ポインタ８３の座標を算出する。
【０２４９】
ステップＳ６２では、処理部１０１は、操作面４２a及びスイッチ４２bからの検出結果に基づいて、操作面４２aに対する押圧の有無、つまり、スイッチ４２bがオン状態とされたか否かを判定する。処理部１０１は、オン状態とされず、オフ状態のままであると判定した場合、処理をステップＳ６３に進める。
【０２５０】
なお、処理部１０１は、操作面４２aの検出結果、又はスイッチ４２bからの検出結果の一方に基づいて、操作面４２aに対する押圧の有無を判定することもできる。
【０２５１】
すなわち、例えば、処理部１０１は、操作面４２aによる、操作面４２aに対する押圧の有無の検出結果に基づいて、操作面４２aに対する押圧の有無を判定する。なお、操作面４２aは、操作面４２aの静電容量の変化に基づいて、操作面４２aに対する押圧の有無を検出できる。
【０２５２】
これは、処理部１０１が、操作面４２aの静電容量の変化に基づいて、操作面４２aに対する押圧の有無を判定することと等価であると言える。
【０２５３】
また、例えば、処理部１０１は、スイッチ４２bがオン状態又はオフ状態のいずれかであるかを表す、スイッチ４２bからの検出結果に基づいて、操作面４２aに対する押圧の有無を判定する。これは、処理部１０１が、スイッチ４２bがオン状態であるか否かに基づいて、操作面４２aに対する押圧の有無を判定することと等価であると言える。
【０２５４】
ステップＳ６３では、処理部１０１は、ステップＳ６１で算出した座標をIR送信部４６に供給する。そして、IR送信部４６は、処理部１０１からの座標を含むIR信号を生成し、処理をステップＳ６６に進める。
【０２５５】
また、ステップＳ６２では、処理部１０１は、操作面４２a及びスイッチ４２bからの検出結果に基づいて、スイッチ４２bがオン状態とされたと判定した場合、処理をステップＳ６４に進める。
【０２５６】
ステップＳ６４では、処理部１０１は、スイッチ４２bがオン状態とされたときの座標として、直前のステップＳ６１で算出した座標を、座標保持部１０２に供給して、上書きにより保持させる。
【０２５７】
ステップＳ６５では、処理部１０１は、座標保持部１０２から、座標保持部１０２に保持されている座標を読み出し、IR送信部４６に供給する。そして、IR送信部４６は、処理部１０１からの座標を含むIR信号を生成し、処理をステップＳ６６に進める。
【０２５８】
ステップＳ６６では、IR送信部４６は、生成したIR信号を、無線信号として、テレビジョン受像機２２に送信することにより、テレビジョン受像機２２を制御する。
【０２５９】
ステップＳ６７では、処理部１０１は、スイッチ４２bがオフ状態とされたときからの経過時間を計時する計時部１０１aの計時結果に基づいて、スイッチ４２bがオフ状態とされたときから座標固定時間だけ経過したか否かを判定する。なお、処理部１０１には、計時部１０１aが内蔵されている。
【０２６０】
処理部１０１は、計時部１０１aの計時結果に基づいて、スイッチ４２bがオフ状態とされたときから座標固定時間だけ経過していないと判定した場合、処理をステップＳ６５に戻し、それ以降同様の処理を行う。
【０２６１】
また、処理部１０１は、計時部１０１aの計時結果に基づいて、スイッチ４２bがオフ状態とされたときから座標固定時間だけ経過したと判定した場合、処理をステップＳ６１に戻し、それ以降同様の処理を繰り返す。
【０２６２】
以上説明したように、座標ロック処理によれば、スイッチ４２bがオン状態とされたときから、スイッチ４２bがオン状態とされたときの座標を、IR信号に含めて送信するようにした。
【０２６３】
さらに、スイッチ４２bがオフ状態とされた後も、座標固定時間の間、スイッチ４２bがオン状態とされたときの座標を、IR信号に含めて送信するようにしている。
【０２６４】
これにより、テレビジョン受像機２２の表示画面に表示されるポインタ８３の座標は、ユーザの押下操作が行われたときから一定の間、固定されることとなる。
【０２６５】
このため、例えば、テレビジョン受像機２２の表示画面上のポインタ８３が、ユーザの意図に反して移動してしまう事態を防止できるので、操作面４２aを用いたユーザ操作の操作性をより向上させることが可能となる。
【０２６６】
第２の実施の形態では、図１０のリモートコントローラ２１が、タッチパッド４２からの検出結果等に基づいて、ポインタ８３の座標を算出するようにしたが、テレビジョン受像機２２側で座標を算出して固定するようにしてもよい。
【０２６７】
この場合、例えば、図１０のリモートコントローラ２１が、タッチパッド４２からの検出結果と、領域選択部４４からの対象ユーザ操作領域に基づいて、ユーザ操作の操作内容及び操作対象を検知する。また、図１０のリモートコントローラ２１は、タッチパッド４２からの検出結果に基づいて、操作面４２aに対する押圧の有無を判定することにより、操作面４２aに対する押圧の有無を表す押圧情報を生成（取得）する。
【０２６８】
さらに、図１０のリモートコントローラ２１は、検知した検知結果と、生成した押圧情報を、テレビジョン受像機２２に送信する。そして、テレビジョン受像機２２が、図１０のリモートコントローラ２１からの検知結果と押圧情報を受信し、受信した検知結果と押圧情報に基づいて、図１２の座標ロック処理と同様の処理を行う。
【０２６９】
すなわち、例えば、テレビジョン受像機２２は、受信した検知結果に基づいて、ポインタ８３の座標を算出する。さらに、テレビジョン受像機２２は、受信した押圧情報に基づいて、スイッチ４２bがオン状態とされたと判定したときからしばらくの間、ポインタ８３の座標を固定させるように、内蔵のディスプレイを制御する。このようにして、テレビジョン受像機２２は、ユーザの意図に反して、ポインタ８３が移動する事態を防止する。
【０２７０】
＜３．変形例＞
第１の実施の形態では、リモートコントローラ２１が、例えば、操作面４２a上の開始位置に基づいて、対象ユーザ操作領域を選択するようにした。
【０２７１】
しかしながら、その他、例えば、領域選択部４４は、操作面４２a上の開始位置の他、テレビジョン受像機２２の表示画面に表示されるコンテンツの状態にも基づいて、対象ユーザ操作領域を選択するようにしてもよい。
【０２７２】
なお、リモートコントローラ２１において、コンテンツの状態は、例えば、リモートコントローラ２１に対するユーザ操作に基づき認識される。また、例えば、テレビジョン受像機２２からリモートコントローラ２１に、適宜、コンテンツの状態を送信するようにして、コンテンツの状態を、リモートコントローラ２１に認識させるようにしてもよい。
【０２７３】
すなわち、例えば、テレビジョン受像機２２の表示画面に、再生中のコンテンツが表示されている場合に、ユーザの指等が操作面４２aに接触したとき、領域選択部４４は、操作面４２a上の開始位置に拘らず、予め決められた対象ユーザ操作領域を選択してもよい。
【０２７４】
具体的には、例えば、領域選択部４４は、操作面４２a上の開始位置に拘らず、予め決められた対象ユーザ操作領域として、再生中のコンテンツを操作対象とするユーザ操作領域（例えば、ボタン領域C）を選択する。
【０２７５】
なお、例えば、テレビジョン受像機２２の表示画面に、再生中のコンテンツが表示されていない場合に、ユーザの指等が操作面４２aに接触したとき、領域選択部４４は、操作面４２a上の開始位置に基づいて、対象ユーザ操作領域を選択することとなる。
【０２７６】
なお、領域選択部４４は、操作面４２a上の開始位置とコンテンツの状態を用いる他、操作面４２a上の開始位置、タップ操作までの所要時間、及びコンテンツの状態を用いて、対象ユーザ操作領域を選択することもできる。
【０２７７】
さらに、例えば、ユーザが、ポインタ操作領域Aを対象とした接触移動操作により、ポインタ８３をコンテンツ上に移動させたところで、押下操作を行った場合、テレビジョン受像機２２の表示画面には、再生中のコンテンツが表示されることとなる。
【０２７８】
この場合、例えば、領域選択部４４は、ユーザの押下操作に対応して、操作面４２a上の開始位置等に拘らず、再生対象のコンテンツを操作対象とするユーザ操作領域（例えば、ボタン領域C）を、対象ユーザ操作領域として選択するようにしてもよい。
【０２７９】
なお、再生対象のコンテンツは、例えば、インターネット等を介してテレビジョン受像機２２と接続されたサーバに保持されているものとする。
【０２８０】
また、例えば、領域選択部４４は、操作面４２a上の開始位置の他、ユーザの状態にも基づいて、対象ユーザ操作領域を選択するようにしてもよい。
【０２８１】
すなわち、例えば、ユーザが操作面４２aを視認している場合、領域選択部４４は、操作面４２a上の開始位置に基づいて、対象ユーザ操作領域を選択する。
【０２８２】
これは、ユーザが操作面４２aを視認した状態で、ユーザ操作を行う場合、ユーザ操作の対象とされる所望のユーザ操作領域を、ユーザの指などで正確に触れることができることによる。
【０２８３】
また、例えば、ユーザが操作面４２aを視認していない場合、領域選択部４４は、操作面４２a上の開始位置に拘らず、予め決められた対象ユーザ操作領域を選択する。
【０２８４】
具体的には、例えば、ユーザが操作面４２aを視認していない場合、ユーザは、テレビジョン受像機２２の表示画面に表示されたコンテンツを視聴している可能性が高い。このため、例えば、領域選択部４４は、コンテンツを操作対象とする対象ユーザ操作領域（例えば、ボタン領域C）を選択する。
【０２８５】
なお、領域選択部４４は、操作面４２a上の開始位置とユーザの状態を用いる他、操作面４２a上の開始位置、タップ操作までの所要時間、及びユーザの状態を用いて、対象ユーザ操作領域を選択することもできる。
【０２８６】
ここで、ユーザの状態は、例えば、ユーザの撮像を行う撮像部から得られる撮像画像に基づいて、リモートコントローラ２１により判定される。なお、撮像部は、例えば、リモートコントローラ２１又はテレビジョン受像機２２の一方に設けられているように構成することができる。
【０２８７】
第１の実施の形態では、リモートコントローラ２１が、タッチパッド４２からの検出結果に基づいて、操作面４２a上の開始位置を算出し、算出した開始位置に基づいて、対象ユーザ操作領域を選択するようにした。そして、リモートコントローラ２１は、選択した対象ユーザ操作領域を対象とするユーザ操作を検知するようにした。
【０２８８】
しかしながら、その他、例えば、テレビジョン受像機２２が、リモートコントローラ２１の操作面４２aに対するユーザ操作を検知するように構成することができる。
【０２８９】
この場合、リモートコントローラ２１が、算出した開始位置や、タッチパッド４２からの検出結果を、テレビジョン受像機２２に送信する。
【０２９０】
これに対して、テレビジョン受像機２２は、リモートコントローラ２１から、開始位置や検出結果を受信し、受信した開始位置に基づいて、対象ユーザ操作領域を選択する。そして、テレビジョン受像機２２は、同じくリモートコントローラ２１から受信した検出結果に基づいて、選択した対象ユーザ操作領域を対象とするユーザ操作を検知して、検知したユーザ操作に応じた処理を行う。つまり、テレビジョン受像機２２は、リモートコントローラ２１から受信した検出結果に基づいて、対象ユーザ操作領域に対応付けられた動作を決定し、決定した動作（例えば、ポインタ８３を移動させる動作等）を行う。このことは、第２の実施の形態においても同様である。
【０２９１】
その他、例えば、テレビジョン受像機２２にセットトップボックスが接続されている場合、テレビジョン受像機２２に代えて、セットトップボックスが、リモートコントローラ２１からの開始位置や検出結果を受信するようにして、ユーザ操作を検知するようにしてもよい。
【０２９２】
ここで、セットトップボックスとは、受信した放送信号をテレビジョン受像機２２で再生可能な信号に変換するための装置をいう。
【０２９３】
また、第１及び第２の実施の形態では、コンテンツを表示する表示画面とは異なる箇所に設けられた操作面４２aを有するリモートコントローラ２１について説明した。しかしながら、本技術は、例えば、コンテンツ等を表示する表示画面としても機能する操作面４２aを有するスマートフォン等にも適用することができる。
【０２９４】
ところで、図１乃至図９で説明した本技術は、以下の構成をとることができる。
（１）ユーザ操作を検知する検知装置において、ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得部と、前記開始位置に基づいて、重複して配置された複数の前記ユーザ操作領域のうち、前記ユーザ操作の対象とされたユーザ操作領域に対応付けられた動作を決定する決定部とを含み、前記操作面は、コンテンツを表示する表示画面とは異なる箇所に設けられている検知装置。
（２）前記取得部は、前記操作面を対象とした新たな接触が開始されたことに対応して、新たな前記接触が開始されたときの前記操作面上の前記開始位置を取得する前記（１）に記載の検知装置。
（３）前記操作面に対する接触が終了したときから、前記操作面に対する新たな接触が開始されるまでに要した所要時間を計測する時間計測部をさらに含み、前記決定部は、前記所要時間にも基づいて、前記ユーザ操作の対象とされたユーザ操作領域に対応付けられた動作を決定する前記（１）又は（２）に記載の検知装置。
（４）前記決定部は、前記表示画面上の前記コンテンツの状態にも基づいて、前記ユーザ操作の対象とされたユーザ操作領域に対応付けられた動作を決定する前記（１）又は（２）に記載の検知装置。
（５）前記決定部は、前記コンテンツが再生中である場合、前記開始位置に拘らず、前記コンテンツを操作対象とする前記対象ユーザ操作領域に対応付けられた動作を決定し、前記コンテンツが再生中ではない場合、前記開始位置に基づいて、前記ユーザ操作の対象とされたユーザ操作領域に対応付けられた動作を決定する前記（４）に記載の検知装置。
（６）前記決定部は、ユーザによる前記操作面の視認の有無にも基づいて、前記対象ユーザ操作領域に対応付けられた動作を決定する前記（１）又は（２）に記載の検知装置。
（７）前記決定部は、前記ユーザが前記操作面を視認している場合、前記開始位置に基づいて、前記ユーザ操作の対象とされたユーザ操作領域に対応付けられた動作を決定し、前記ユーザが前記操作面を視認していない場合、前記開始位置に拘らず、予め決められた前記対象ユーザ操作領域に対応付けられた動作を決定する前記（６）に記載の検知装置。
（８）前記ユーザの撮像を行う撮像部から得られた撮像画像に基づいて、前記ユーザが前記操作面を視認しているか否かを判定する判定部をさらに含む前記（６）又は（７）に記載の検知装置。
（９）前記決定部は、前記表示画面上の前記コンテンツを再生するための前記押圧操作が行われたことに対応して、前記開始位置に拘らず、前記コンテンツを操作対象とする前記対象ユーザ操作領域に対応付けられた動作を決定する前記（１）又は（２）に記載の検知装置。
（１０）前記操作面に対する接触又は押圧の少なくとも一方を検出する検出部をさらに含み、前記取得部は、前記検出部の検出結果に基づいて、前記開始位置を算出することにより取得する前記（１）乃至（９）に記載の検知装置。
（１１）前記取得部は、前記ユーザ操作に応じて前記開始位置を検出する操作入力装置から送信される前記開始位置を受信することにより取得する前記（１）乃至（９）に記載の検知装置。
（１２）ユーザ操作を検知する検知装置の検知方法において、前記検知装置による、ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得ステップと、前記開始位置に基づいて、重複して配置された複数の前記ユーザ操作領域のうち、前記ユーザ操作の対象とされたユーザ操作領域に対応付けられた動作を決定する決定ステップとを含み、前記操作面は、コンテンツを表示する表示画面とは異なる箇所に設けられている検知方法。
（１３）コンピュータを、ユーザ操作の対象とされるとともに、前記ユーザ操作に応じて検知される、前記ユーザ操作の操作内容又は操作対象の少なくとも一方が異なるユーザ操作領域を重複して配置した操作面に対する接触が開始されたときの前記操作面上の位置を表す開始位置を取得する取得部と、前記開始位置に基づいて、重複して配置された複数の前記ユーザ操作領域のうち、前記ユーザ操作の対象とされたユーザ操作領域に対応付けられた動作を決定する決定部として機能させるためのプログラムであって、前記操作面は、コンテンツを表示する表示画面とは異なる箇所に設けられているプログラム。
【０２９５】
また、図１０乃至図１２で説明した本技術は、以下の構成をとることができる。
（１）表示画面上の操作対象を操作するユーザ操作の対象とされる操作面に対する押圧の有無を表す押圧情報を取得する取得部と、前記押圧情報に基づいて、少なくとも前記操作面に対する押圧が行われている間、前記操作面を対象とする前記ユーザ操作に拘らず、前記操作対象の座標を固定させる制御部とを含む情報処理装置。
（２）前記操作面に対する押圧が検出されなくなったときから経過した経過時間を計時する計時部を含み、前記制御部は、さらに、前記経過時間が、前記押圧が検出されなくなってから前記操作対象の座標を固定する時間を表す座標固定時間を経過するまでの間、前記操作対象の座標を固定させる前記（１）に記載の情報処理装置。
（３）前記制御部は、前記操作対象の座標を、前記操作面に対する押圧が検出されたときの座標に固定させる前記（１）又は（２）に記載の情報処理装置。
（４）前記制御部は、予め決められた前記座標固定時間が経過するまでの間、前記操作対象の座標を固定させる前記（２）に記載の情報処理装置。
（５）前記制御部は、前記ユーザ操作の押圧が行われていた押圧時間に基づき算出される前記座標固定時間が経過するまでの間、前記操作対象の座標を固定させる前記（２）に記載の情報処理装置。
（６）ユーザが行なった前記押圧の履歴を表す履歴情報に基づいて、前記座標固定時間を変更する変更部をさらに含み、前記制御部は、変更済みの前記座標固定時間が経過するまでの間、前記操作対象の座標を固定させる前記（１）又は（２）に記載の情報処理装置。
（７）前記取得部は、前記操作面に対する押圧の有無を判定することにより、前記押圧情報を取得する前記（１）に記載の情報処理装置。
（８）前記操作面をさらに含み、前記取得部は、前記操作面の静電容量の変化に基づいて、前記操作面に対する押圧の有無を判定することにより、前記押圧情報を取得する前記（７）に記載の情報処理装置。
（９）前記取得部は、前記操作面に対する押圧の有無を判定する操作入力装置から送信される前記押圧情報を受信することにより取得する前記（１）に記載の情報処理装置。
（１０）ユーザ操作に応じて処理を行う情報処理装置の情報処理方法において、前記情報処理装置による、表示画面上の操作対象を操作するユーザ操作の対象とされる操作面に対する押圧の有無を表す押圧情報を取得する取得ステップと、前記押圧情報に基づいて、少なくとも前記操作面に対する押圧が行われている間、前記操作面を対象とする前記ユーザ操作に拘らず、前記操作対象の座標を固定させる制御ステップとを含む情報処理方法。
（１１）コンピュータを、表示画面上の操作対象を操作するユーザ操作の対象とされる操作面に対する押圧の有無を表す押圧情報を取得する取得部と、前記押圧情報に基づいて、少なくとも前記操作面に対する押圧が行われている間、前記操作面を対象とする前記ユーザ操作に拘らず、前記操作対象の座標を固定させる制御部として機能させるためのプログラム。
【０２９６】
上述した一連の処理は、例えばハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【０２９７】
[コンピュータの構成例]
図１３は、上述した一連の処理をプログラムにより実行するコンピュータのハードウェアの構成例を示している。
【０２９８】
CPU（Central Processing Unit）２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０２９９】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０３００】
入出力インタフェース２０５に接続されている記憶部２０８は、例えばハードディスクからなり、CPU２０１が実行するプログラムや各種のデータを記憶する。通信部２０９は、インターネットやローカルエリアネットワーク等のネットワークを介して外部の装置と通信する。
【０３０１】
また、通信部２０９を介してプログラムを取得し、記憶部２０８に記憶してもよい。
【０３０２】
入出力インタフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０３０３】
コンピュータにインストールされ、コンピュータによって実行可能な状態とされるプログラムを記録（記憶）する記録媒体は、図１３に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インターネット、デジタル衛星放送といった、有線又は無線の通信媒体を利用して行われる。
【０３０４】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０３０５】
さらに、本開示は、上述した第１及び第２の実施の形態に限定されるものではなく、本開示の要旨を逸脱しない範囲において種々の変更が可能である。
【符号の説明】
【０３０６】
２１,２１'  リモートコントローラ，  ２２  テレビジョン受像機，  ４１  操作ボタン，  ４１a  ドラッグボタン，  ４２  タッチパッド，  ４２a  操作面，  ４２b  スイッチ，  ４２c1,４２c2  弾性体，  ４３  処理部，  ４４  領域選択部，  ４５  時間計測部，  ４６  IR送信部，  １０１  処理部，  １０１a  計時部，  １０２  座標保持部
【図１】
2013191028.tif 000003
【図２】
2013191028.tif 000004
【図３】
2013191028.tif 000005
【図４】
2013191028.tif 000006
【図５】
2013191028.tif 000007
【図６】
2013191028.tif 000008
【図７】
2013191028.tif 000009
【図８】
2013191028.tif 000010
【図９】
2013191028.tif 000011
【図１０】
2013191028.tif 000012
【図１１】
2013191028.tif 000013
【図１２】
2013191028.tif 000014
【図１３】
2013191028.tif 000015
【国際調査報告】
2013191028.tif 000016
2013191028.tif 000017
2013191028.tif 000018
2013191028.tif 000019
2013191028.tif 000020
2013191028.tif 000021